(57)【要約】  蝶棒が所定位置に挿入されることなく、スライダーが閉鎖方向に移動するのを規制することができる隠しスライドファスナーを提供する。  一対のファスナーテープ２０と、一対のファスナーテープ２０の折曲縁部２０ｂにそれぞれ設けられる一対のファスナーエレメント列３０と、一対のファスナーエレメント列３０を噛合・分離させるスライダー４０と、一方のファスナーテープ２０の長さ方向一端部に設けられる箱棒６０及び箱体７０と、他方のファスナーテープ２０の長さ方向一端部に設けられ、箱体７０に挿入可能な蝶棒８０と、を備え、蝶棒８０は、箱体７０の空間部７１に挿入される挿入部８４と、挿入部８４の箱棒６０と対向する側面８０ｂに形成され、箱棒６０側のファスナーエレメント列３０の最下端のファスナーエレメント３１と係合する係合部８７と、を備え、係合部８７の長さＬが、複数のファスナーエレメント３１間の隙間Ｈの２倍以上に設定される。
2011135706.tif 000002
【特許請求の範囲】
【請求項１】
一対のファスナーテープ（２０）と、
前記一対のファスナーテープの対向するテープ側縁部（２０ａ）を長さ方向に沿って略Ｕ字状に折り曲げることにより形成される折曲縁部（２０ｂ）にそれぞれ設けられ、連続状の複数のファスナーエレメント（３１）を有する一対のファスナーエレメント列（３０）と、
前記一対のファスナーエレメント列を挿通させ、噛合・分離させるスライダー（４０）と、
一方の前記ファスナーテープの前記ファスナーエレメント列の長さ方向一端部に設けられる箱棒（６０）及び箱体（７０）と、
他方の前記ファスナーテープの前記ファスナーエレメント列の長さ方向一端部に設けられ、前記箱体に挿入可能な蝶棒（８０）と、を備える隠しスライドファスナー（１０）であって、
前記蝶棒は、
前記箱体に形成される空間部（７１）に挿入される挿入部（８４）と、
前記挿入部の前記箱棒と対向する側面（８０ｂ）に形成され、前記箱棒側の前記ファスナーエレメント列の最下端の前記ファスナーエレメントと係合する係合部（８７）と、を備え、
前記係合部の長さ（Ｌ）は、隣り合う前記ファスナーエレメント間の隙間（Ｈ）の２倍以上に設定されることを特徴とする隠しスライドファスナー。
【請求項２】
前記箱棒（６０）の前記蝶棒（８０）と対向する側面（６０ｂ）に、前記係合部（８７）を収容する収容部（６２）が形成され、
前記箱棒の前記収容部より前記箱体（７０）側に、前記収容部の幅方向寸法より大きい隆起部（６３）が形成され、
前記隆起部の基端は、前記ファスナーテープ（２０）の長さ方向の端縁（２０ｃ）より前記ファスナーエレメント（３１）側に位置していることを特徴とする請求項１に記載の隠しスライドファスナー。
【発明の詳細な説明】
【技術分野】
【０００１】
この発明は、隠しスライドファスナーに関し、詳細には、隠しスライドファスナーの開離嵌挿具に関する。
【背景技術】
【０００２】
従来の隠しスライドファスナーとしては、一対のファスナーテープと、一対のファスナーテープの対向するテープ側縁部を長さ方向に沿って略Ｕ字状に折り曲げることにより形成される折曲縁部にそれぞれ設けられ、複数のファスナーエレメントを有する一対のファスナーエレメント列と、一対のファスナーエレメント列を挿通させ、噛合・分離させるスライダーと、一方のファスナーテープのファスナーエレメント列の長さ方向一端部に設けられる箱棒及び箱体と、他方のファスナーテープのファスナーエレメント列の長さ方向一端部に設けられ、箱体に挿入可能な蝶棒と、を備え、蝶棒の箱棒と対向する側面に、箱棒側のファスナーエレメント列の最下端のファスナーエレメントと係合する係合部が形成され、スライドファスナーに横引き力が加わった時に、開離嵌挿具（箱棒、箱体、及び蝶棒）側から開いてしまうのを防止するものが知られている（例えば、特許文献１参照）。
【先行技術文献】
【特許文献】
【０００３】
【特許文献１】日本国特開２００１−９５６０８号公報
【発明の概要】
【発明が解決しようとする課題】
【０００４】
ところで、隠しスライドファスナーでは、表面側にファスナーテープ及び衣服の生地が存在するため、通常のスライドファスナーの開離嵌挿具よりも蝶棒の挿入状態が確認し難く、蝶棒を所定位置に挿入することなくスライダーを引き上げてしまうことがある。そして、上記特許文献１に記載の隠しスライドファスナーにおいて、上記状態でスライダーを無理矢理引き上げてしまうと、係合部がファスナーエレメント間の間隔を広げ、その間に係合部が入り込み、スライドファスナーの閉鎖が行われる。しかし、この状態で閉鎖されたスライドファスナーは、蝶棒が所定位置に挿入されていないことから、スライドファスナーに加わる横引き力に耐えることができず、使用中に開いてしまう可能性があった。また、無理な力を加えて閉鎖することになるので、開離嵌挿具やファスナーエレメントが壊れてしまう可能性もあった。【０００５】
本発明は、前述した事情に鑑みてなされたものであり、その目的は、蝶棒が所定位置に挿入されることなく、スライダーが閉鎖方向に移動するのを規制することができる隠しスライドファスナーを提供することにある。
【課題を解決するための手段】
【０００６】
本発明の上記目的は、下記の構成により達成される。
（１）一対のファスナーテープと、一対のファスナーテープの対向するテープ側縁部を長さ方向に沿って略Ｕ字状に折り曲げることにより形成される折曲縁部にそれぞれ設けられ、連続状の複数のファスナーエレメントを有する一対のファスナーエレメント列と、一対のファスナーエレメント列を挿通させ、噛合・分離させるスライダーと、一方のファスナーテープのファスナーエレメント列の長さ方向一端部に設けられる箱棒及び箱体と、他方のファスナーテープのファスナーエレメント列の長さ方向一端部に設けられ、箱体に挿入可能な蝶棒と、を備える隠しスライドファスナーであって、蝶棒は、箱体に形成される空間部に挿入される挿入部と、挿入部の箱棒と対向する側面に形成され、箱棒側のファスナーエレメント列の最下端のファスナーエレメントと係合する係合部と、を備え、係合部の長さは、隣り合うファスナーエレメント間の隙間の２倍以上に設定されることを特徴とする隠しスライドファスナー。
（２）箱棒の蝶棒と対向する側面に、係合部を収容する収容部が形成され、箱棒の収容部より箱体側に、収容部の幅方向寸法より大きい隆起部が形成され、隆起部の基端は、ファスナーテープの長さ方向の端縁よりファスナーエレメント側に位置していることを特徴とする（１）に記載の隠しスライドファスナー。
【発明の効果】
【０００７】
本発明の隠しスライドファスナーによれば、蝶棒は、箱体に形成される空間部に挿入される挿入部と、挿入部の箱棒と対向する側面に形成され、箱棒側のファスナーエレメント列の最下端のファスナーエレメントと係合する係合部と、を備え、係合部の長さが、複数のファスナーエレメント間の隙間の２倍以上に設定されるため、蝶棒を所定位置に挿入していない状態で、スライダーを閉鎖方向に移動しようとしても、係合部がファスナーエレメント間に入り込むことがないので、スライダーの閉鎖方向への移動を規制することができる。従って、ファスナーエレメントの不正な噛み合いを防止することができるので、スライドファスナーの信頼性を向上することができる。【０００８】
また、本発明の隠しスライドファスナーによれば、隆起部の基端が、ファスナーテープの長さ方向の端縁よりファスナーエレメント側に位置しているため、隆起部により、箱棒及び箱体のファスナーテープへの取付強度を向上することができる。
【図面の簡単な説明】
【０００９】
【図１】本発明に係る隠しスライドファスナーの一実施形態を説明する表面図である。
【図２】図１に示す開離嵌挿具の周辺の拡大表面図である。
【図３】図１に示す開離嵌挿具の周辺の拡大裏面図である。
【図４】図２に示す開離嵌挿具の分離した状態の拡大表面図である。
【図５】図３に示す開離嵌挿具の分離した状態の拡大裏面図である。
【図６】図４のＡ−Ａ線矢視断面図である。
【図７】図４に示す箱棒及び箱体の斜視図である。
【図８】図４に示す蝶棒の斜視図である。
【図９】図５に示す箱棒及び箱体の周辺の拡大裏面図である。
【図１０】図５に示す蝶棒の周辺の拡大裏面図である。
【図１１】蝶棒をスライダーに挿入した状態を示す拡大裏面図である。
【図１２】蝶棒を箱体に挿入した状態を示す拡大裏面図である。
【図１３】蝶棒を箱体の所定位置に挿入した状態を示す拡大裏面図である。
【図１４】蝶棒を箱体の所定位置に挿入させずにスライダーを閉鎖方向に移動させた状態を示す拡大裏面図である。
【図１５】本発明に係る隠しスライドファスナーの一実施形態の変形例の開離嵌挿具の分離した状態の拡大表面図である。
【図１６】図１５に示す変形例の開離嵌挿具の分離した状態の拡大裏面図である。
【発明を実施するための形態】
【００１０】
以下、本発明に係る隠しスライドファスナーの一実施形態について、図面に基づいて詳細に説明する。なお、以後の説明において、ファスナーテープに関しては、表側とは図１の紙面に対して手前側、裏側とは図１の紙面に対して奥側とし、ファスナーテープの面に垂直の方向を表裏方向とも言うことができる。上側とは図１の紙面に対して上側、下側とは図１の紙面に対して下側、左側とは図１の紙面に対して左側、右側とは図１の紙面に対して右側とし、スライダーに関しては、上側とは図１の紙面に対して手前側（後述する引手を有する側）、下側とは図１の紙面に対して奥側、前側とは図１の紙面に対して上側、後側とは図１の紙面に対して下側、左側とは図１の紙面に対して左側、右側とは図１の紙面に対して右側とする。また、ファスナーテープ及びスライダーの左右方向は幅方向とも言う。また、上下方向は、ファスナーテープの長さ方向とも言う。上記幅方向は、ファスナーテープの面に水平で、且つ上記長さ方向に直交する方向でもある。スライダーを上下方向に移動した際、上方向に移動すると分離状態のファスナーエレメント列が互いに噛合し、下方向に移動すると噛合状態のファスナーエレメント列が分離する方向である。
【００１１】
本実施形態の隠しスライドファスナー１０は、図１及び図６に示すように、左右一対のファスナーテープ２０と、左右一対のファスナーテープ２０の対向するテープ側縁部２０ａを長さ方向に沿って略Ｕ字状に折り曲げることにより形成される折曲縁部２０ｂにそれぞれ縫着される左右一対のファスナーエレメント列３０と、左右一対のファスナーエレメント列３０を挿通させ、噛合・分離させるスライダー４０と、を備える。そして、スライダー４０を前後方向に摺動させることにより、ファスナーエレメント列３０が噛合・分離される。なお、図６中の符号１１は、隠しスライドファスナー１０が取り付けられる略Ｕ字状に折り曲げられた衣服の生地、符号１２は、衣服１１に隠しスライドファスナー１０を取り付ける縫い糸である。
【００１２】
ファスナーエレメント列３０は、図３及び図５に示すように、合成樹脂製のモノフィラメントを一定方向に巻回すことにより形成されるコイル状のファスナーエレメント列であり、複数のファスナーエレメント３１を有している。そして、ファスナーエレメント列３０は、その内部に芯紐３２が挿通され、二重環縫いされる不図示の縫い糸によってファスナーテープ２０の折曲縁部２０ｂに縫い付けられる。なお、図面の理解を容易にするため、本実施形態では縫い糸を省略している。ファスナーエレメント３１は、相手方のファスナーエレメント３１と噛合・分離する噛合頭部３１ａと、その噛合頭部３１ａから一方向に延びる一対の脚部と、隣接するエレメント間の脚部同士を連結する連結部とからなり、連続状の複数のファスナーエレメント３１を列状に形成する。また、縫い付けられた状態では、ファスナーエレメント３１の噛合頭部３１ａは折曲縁部２０ｂから外側に突出している。また、ファスナーエレメント列３０は、合成樹脂製のモノフィラメントをジグザグ状に成形し、折曲縁部２０ｂに縫い付けてもよい。
【００１３】
スライダー４０は、自動停止機能付きのスライダーであり、図１及び図１１〜図１３に示すように、胴体４１、停止爪部材４２、クランパ４３、引手４４、及び不図示のスプリングから構成されている。
【００１４】
胴体４１は、下翼板４５と、下翼板４５の左右両側縁に沿って立設される左右一対の側壁部４６ａと左右一対の側壁部４６ａの上端から互いに接近する方向に延設される左右一対の上板部４６ｂとを有する断面逆Ｌ字状の左右一対のフランジ４６と、を備える。また、下翼板４５の前部の左右中央から左右一対の上板部４６ｂ間に、停止爪部材４２を揺動自在に支持する案内柱４７が立設されている。また、胴体４１の前部には案内柱４７により分離された左右の肩口４１ａが形成され、胴体４１の後部には後口４１ｂが形成されている。さらに、下翼板４５と左右一対の上板部４６ｂとの間には、左右の肩口４１ａと後口４１ｂとを連通する略Ｙ字状のエレメント案内路４８が形成されており、このエレメント案内路４８に左右一対のファスナーエレメント列３０が摺動自在に挿通されている。
【００１５】
また、図１〜図１０に示すように、隠しスライドファスナー１０には、左右一対のファスナーテープ２０の下端部に開離嵌挿具５０が設けられており、この開離嵌挿具５０は、右側のファスナーテープ２０のファスナーエレメント列３０の長さ方向の下端部に設けられる箱棒６０及び箱体７０と、左側のファスナーテープ２０のファスナーエレメント列３０の長さ方向の下端部に設けられ、箱体７０に挿入可能な蝶棒８０と、を備える。箱棒６０、箱体７０、及び蝶棒８０は、ポリアミド、ポリアセタール、ポリプロピレン、ポリブチレンテレフタレートなどの熱可塑性樹脂を用いて左右一対のファスナーテープ２０の下端部に射出成形されている。なお、上端部には、スライダー４０の脱落を防止する上止が形成されている。
【００１６】
箱棒６０は、略角柱状の部材であり、右側のファスナーテープ２０のファスナーエレメント列３０に連接して、ファスナーテープ２０の下端縁２０ｃからテープ長さ方向に突出させた状態で形成される。また、右側のファスナーテープ２０のファスナーエレメント列３０が取り付けられていない側のテープ本体２０ｃの表裏面には、箱棒６０を取り付けたファスナーテープ２０の端部を補強するための横格子状の補強部６１が、箱棒６０の蝶棒８０から離間する側の外側面６０ａから幅方向外側に向かって（蝶棒８０から離間する方向）一体に延設されている。補強部６１は、箱棒６０の上方に向けて延出しており、ファスナーテープ２０の端部の補強をより強固にしている。
【００１７】
箱体７０は、箱棒６０の下部に一体成形される箱状部材であり、左半部に、上方に開口して内部に蝶棒８０が挿入される蝶棒挿入空間部７１が形成されている。蝶棒挿入空間部７１を形成する壁部のうち、表面側に配置される隔壁７２は、箱棒６０の蝶棒８０と対向する側面（内側面）６０ｂとの間に所要の幅をもって上端から下端まで連続して切欠部７２ａを有する。この切欠部７２ａの幅は、後述する蝶棒８０の側壁部８６の板厚よりも大きな寸法に設定される。
【００１８】
また、隔壁７２の蝶棒挿入空間部７１とは反対側の壁面には、後述する蝶棒８０の係止部８５と係合する立上り部分７３ａ及び水平部分７３ｂを有する被係止部７３が表側に突出するように一体に形成される。立上り部分７３ａは、水平部分７３ｂから上方に向かって斜めに立ち上がって形成される。
【００１９】
蝶棒８０は、左側のファスナーテープ２０のファスナーエレメント列３０に連接して、ファスナーテープ２０の下端縁２０ｃからテープ長さ方向に突出させた状態で形成されており、ファスナーテープ２０の下端部に形成される基部８１と、基部８１から下方に延設され、ファスナーテープ２０の折曲縁部２０ｂの折り曲げ形状に倣って断面略Ｕ字状に形成される蝶棒本体８２と、を備える。また、左側のファスナーテープ２０のテープ本体２０ｃの表裏面には、蝶棒８０を取り付けたファスナーテープ２０の端部を補強するための横格子状の補強部８３が、蝶棒８０の箱棒６０から離間する側の外側面８０ａから幅方向外側に向かって（箱棒６０から離間する方向）一体に延設されている。補強部８３は、蝶棒８０の上方に向けて延出しており、ファスナーテープ２０の端部の補強をより強固にしている。
【００２０】
蝶棒本体８２は、図４〜図６に示すように、箱体７０の蝶棒挿入空間部７１に挿入される挿入部８４と、箱体７０の被係止部７３と係合する係止部８５と、挿入部８４と係止部８５との間を表裏方向に連結し、箱体７０の切欠部７２ａに挿入される側壁部８６と、を有する。また、挿入部８４及び係止部８５間の内面間距離Ｗは、挿入部８４が蝶棒挿入空間部７１に挿入された際に、挿入部８４と係止部８５との間に箱体７０の隔壁７２が入り込む寸法に設定される。また、係止部８５は、その箱棒６０から離間する側の側面に被係止部７３の立上り部分７３ａが接触することにより、被係止部７３に係止される。なお、被係止部７３の立上り部分７３ａは、係止部８５と係止される形状であればよく、水平部分７３ｂに対して垂直であってもよい。
【００２１】
また、図４、図８、及び図１０に示すように、蝶棒８０の挿入部８４の箱棒６０と対向する側の側面（内側面）８０ｂでファスナーエレメント列３０側には、箱棒６０側のファスナーエレメント列３０の最下端のファスナーエレメント３１と係合する係合部８７が形成されており、この係合部８７の上下方向長さＬは、複数のファスナーエレメント３１間の隙間Ｈの２倍以上に設定される。係合部８７は、そのファスナーエレメント列３０側が上方に向けて先細状に挿入部８４の側面８０ｂから突出し、箱棒６０側のファスナーエレメント列３０の最下端のファスナーエレメント３１の噛合頭部３１ａと係合し、その長さＬは、その係合する先端と、蝶棒８０の側面８０ｂより幅方向に突出する基端との間の寸法である。なお、この隙間Ｈは、隣り合うファスナーエレメント３１，３１の噛合頭部３１ａ，３１ａのファスナーテープ２０の長さ方向の中心間の間隔であるピッチＰからファスナーエレメント３１の線径Ｄの半径Ｄ／２の２倍を引くことで求めることができる。
【００２２】
また、図４、図７、及び図９に示すように、箱棒６０の側面（内側面）６０ｂに、蝶棒８０の係合部８７を収容する収容部６２が形成されると共に、箱棒６０の収容部６２より箱体７０側には、収容部６２が形成される部分の箱棒６０の幅方向寸法より幅方向寸法の大きい隆起部６３が形成される。さらに、隆起部６３の基端は、ファスナーテープ２０の下端縁２０ｃよりファスナーエレメント３１側に位置している。ここで、ファスナーテープ２０の下端縁２０ｃとは、長さ方向の端縁であり、ファスナーテープ２０の水平面上で、上下方向（長さ方向）に対して幅方向に切除される部分であり、例えば、上下方向に対して直角に切断してもよく、後述するように斜めに切断してもよい。つまり、ファスナーテープ２０の下端縁２０ｃのテープ側縁部２０ａ側での位置は、隆起部６３の基端よりも下方に位置する。これにより、箱棒６０をファスナーテープ２０に強固に取り付けることができ、また、箱棒６０の側面６０ｂにファスナーテープ２０の縁部が露出し難くなるので、蝶棒８０の挿入時に邪魔にならない。
【００２３】
また、図９及び図１０に示すように、ファスナーテープ２０の下端縁２０ｃのファスナーエレメント列３０側の角部には、斜めに切断することにより傾斜部２０ｄが形成されている。これにより、箱体７０の蝶棒挿入空間部７１にファスナーテープ２０が露出して、蝶棒挿入空間部７１に蝶棒８０を挿入し難くなるのを防止することができる。なお、本実施形態では、ファスナーテープ２０の下端縁２０ｃの角部を斜めに切断したが、円弧状に切断してもよい。
【００２４】
このように構成された隠しスライドファスナー１０では、図１１〜図１３に示すように、蝶棒８０の係合部８７が複数のファスナーエレメント３１間に入り込むことがないので、蝶棒８０を箱体７０の蝶棒挿入空間部７１の所定位置にスムースに挿入することが可能となる。また、図１４には、蝶棒８０の挿入部８４を箱体７０の蝶棒挿入空間部７１に挿入する途中の状態（所定の位置まで挿入されていない状態）で、スライダー４０を上方に移動しようとしたときの図が示されており、例え、複数のファスナーエレメント３１間（例えば、図示では、箱棒６０側の最下端のファスナーエレメント３１と、それに隣接するファスナーエレメント３１との間）を最大に開いたとしても、その間に係合部８７が入り込むことがないので、複数のファスナーエレメント３１と係合部８７との不正な噛み合いが確実に防止される。また、最大に開いたとき、その間隔は、隙間Ｈの２倍よりも小さい。また、図１４に示すように、係合部８７の基端側は、下方に向かうに従って幅方向寸法が漸次減少する斜面に形成され、その角度は、３０°〜６０°、好ましくは４５°に形成される。この斜面と上記長さＬにより、最大に開いた状態のファスナーエレメント３１の噛合頭部３１ａが、斜面に接触し、係合部８７に引っ掛かることを防止できる。また、箱棒６０の隆起部６３の基端も、係合部８７の基端の斜面に合致するように形成される。これにより、ファスナーテープ２０への取り付け面積が増大するため、取付強度が向上する。
【００２５】
以上説明したように、本実施形態の隠しスライドファスナー１０によれば、蝶棒８０は、箱体７０の蝶棒挿入空間部７１に挿入される挿入部８４と、挿入部８４の箱棒６０と対向する側面（内側面）６０ｂに形成され、箱棒６０側のファスナーエレメント列３０の最下端のファスナーエレメント３１と係合する係合部８７と、を備え、係合部８７の長さＬが、隣り合う２つのファスナーエレメント３１間の隙間Ｈの２倍以上に設定されるため、蝶棒８０を所定位置に挿入していない状態で、スライダー４０を閉鎖方向に移動しようとしても、係合部８７がファスナーエレメント３１間に入り込むことがないので、スライダー４０の閉鎖方向への移動を規制することができる。従って、ファスナーエレメント３１の不正な噛み合いを防止することができるので、隠しスライドファスナー１０の信頼性を向上することができる。
【００２６】
また、本実施形態の隠しスライドファスナー１０によれば、隆起部６３の基端が、ファスナーテープ２０の下端縁２０ｃよりファスナーエレメント３１側に位置しているため、この隆起部６３により、箱棒６０及び箱体７０のファスナーテープ２０への取付強度を向上することができる。
【００２７】
なお、本実施形態の変形例として、図１５及び図１６に示すように、箱棒６０及び箱体７０から補強部６１及び被係止部７３を削除すると共に、蝶棒８０から補強部８３及び係止部８５を削除してもよい。この変形例において、箱棒６０及び蝶棒８０は、ファスナーテープ２０の折曲縁部２０ｂに形成されていると共に、ファスナーテープ２０の下端部は、幅方向に直線状に切断されている。
【００２８】
なお、本発明は上記実施形態に例示したものに限定されるものではなく、本発明の要旨を逸脱しない範囲において適宜変更可能である。
例えば、本実施形態では、箱体と箱棒が一体成形されているが、これに限定されず、左右一対のファスナーテープの下端部に箱棒及び蝶棒を一体成形すると共に、箱棒挿入空間部及び蝶棒挿入空間部を有する箱体を箱棒とは別体に成形した後、箱棒を箱体の箱棒挿入空間部に挿入し、箱棒挿入空間部内の不図示の係合部に係合固定するようにしてもよい。
また、上記の実施形態及び変形例において、蝶棒８０の係合部８７は、図６に示すように、ファスナーテープ２０の折曲縁部２０ｂの奥側（表側と反対側）に位置するように形成され、ファスナーエレメント列３０も同様の位置に取り付けられている。従って、係合部８７よりも手前側にファスナーテープ２０のＵ字状に折り曲げられたテープ側縁部２０ａが位置する。
【符号の説明】
【００２９】
１０    隠しスライドファスナー
２０    ファスナーテープ
２０ａ  テープ側縁部
２０ｂ  折曲縁部
２０ｃ  下端縁
３０    ファスナーエレメント列
３１    ファスナーエレメント
４０    スライダー
５０    開離嵌挿具
６０    箱棒
６０ｂ  側面（内側面）
６２    収容部
６３    隆起部
７０    箱体
７１    蝶棒挿入空間部
８０    蝶棒
８０ｂ  側面（内側面）
８４    挿入部
８７    係合部
Ｌ    係合部の長さ
Ｈ    ファスナーエレメント間の隙間
【図１】
2011135706.tif 000003
【図２】
2011135706.tif 000004
【図３】
2011135706.tif 000005
【図４】
2011135706.tif 000006
【図５】
2011135706.tif 000007
【図６】
2011135706.tif 000008
【図７】
2011135706.tif 000009
【図８】
2011135706.tif 000010
【図９】
2011135706.tif 000011
【図１０】
2011135706.tif 000012
【図１１】
2011135706.tif 000013
【図１２】
2011135706.tif 000014
【図１３】
2011135706.tif 000015
【図１４】
2011135706.tif 000016
【図１５】
2011135706.tif 000017
【図１６】
2011135706.tif 000018
【手続補正書】
【提出日】平成24年11月13日(2012.11.13)
【手続補正１】
【補正対象書類名】特許請求の範囲
【補正対象項目名】請求項２
【補正方法】変更
【補正の内容】
【請求項２】
前記箱棒（６０）の前記蝶棒（８０）と対向する側面（６０ｂ）に、前記係合部（８７）を収容する収容部（６２）が形成され、
前記箱棒の前記収容部より前記箱体（７０）側に、前記収容部が形成される部分の前記箱棒の幅方向寸法より幅方向寸法の大きい隆起部（６３）が形成され、
前記隆起部の基端は、前記ファスナーテープ（２０）の長さ方向の端縁（２０ｃ）より前記ファスナーエレメント（３１）側に位置していることを特徴とする請求項１に記載の隠しスライドファスナー。
【手続補正２】
【補正対象書類名】明細書
【補正対象項目名】０００６
【補正方法】変更
【補正の内容】
【０００６】
本発明の上記目的は、下記の構成により達成される。
（１）一対のファスナーテープと、一対のファスナーテープの対向するテープ側縁部を長さ方向に沿って略Ｕ字状に折り曲げることにより形成される折曲縁部にそれぞれ設けられ、連続状の複数のファスナーエレメントを有する一対のファスナーエレメント列と、一対のファスナーエレメント列を挿通させ、噛合・分離させるスライダーと、一方のファスナーテープのファスナーエレメント列の長さ方向一端部に設けられる箱棒及び箱体と、他方のファスナーテープのファスナーエレメント列の長さ方向一端部に設けられ、箱体に挿入可能な蝶棒と、を備える隠しスライドファスナーであって、蝶棒は、箱体に形成される空間部に挿入される挿入部と、挿入部の箱棒と対向する側面に形成され、箱棒側のファスナーエレメント列の最下端のファスナーエレメントと係合する係合部と、を備え、係合部の長さは、隣り合うファスナーエレメント間の隙間の２倍以上に設定されることを特徴とする隠しスライドファスナー。
（２）箱棒の蝶棒と対向する側面に、係合部を収容する収容部が形成され、箱棒の収容部より箱体側に、収容部が形成される部分の箱棒の幅方向寸法より幅方向寸法の大きい隆起部が形成され、隆起部の基端は、ファスナーテープの長さ方向の端縁よりファスナーエレメント側に位置していることを特徴とする（１）に記載の隠しスライドファスナー。
【国際調査報告】
2011135706.tif 000019
2011135706.tif 000020
2011135706.tif 000021
2011135706.tif 000022